(57)【要約】【課題】カードエッジ型コネクタを備えた、小型化された記録装置を提供する。【解決手段】図８はヘッドセットレバー４０３単体およびそれに装着されたヘッドセットフック４０６を示している。ヘッドセットレバー４０３は、第１の側板部４０３α、第２の側板部４０３β、および前板部４０３γからなるコの字形状をなし、押圧部４０３ａの間を橋渡し部４０３ｇがつないで、全体として方形を成している。ヘッドセットレバー４０３の、第１の側板部４０３αはキャリッジ４０１の面４０１αと記録ヘッドカートリッジ５０１の面５０１αとの間に、第２の側板部４０３βはキャリッジ４０１の面４０１βと記録ヘッドカートリッジ５０１の面５０１βとの間に、前板部４０３γはキャリッジ４０１の面４０１γと記録ヘッドカートリッジ５０１の面５０１γとの間に挿入されるように構成されている。【選択図】  図４
2004230800.tif 000002
【特許請求の範囲】
【請求項１】
駆動用の電力および信号が伝達されるヘッド側接続部を備えた記録ヘッドを着脱可能に搭載し、前記記録ヘッドが装着される際に前記ヘッド側接続部が挿入されることで電気的に接続されるカードエッジ型コネクタを備えた、ガイドシャフトに案内されて往復走査されるキャリッジを有する記録装置であって、
前記記録ヘッドを押圧して前記カードエッジ型コネクタに前記ヘッド側接続部を挿入させて電気的に接続させ、前記記録ヘッドが搭載された状態で、前記記録ヘッドを囲む前記キャリッジの枠壁と、前記枠壁に対面する前記記録ヘッドの外面との間隙に挿入される、前記ガイドシャフトを回転中心として回転可能なレバー部材を有することを特徴とする記録装置。
【発明の詳細な説明】
【０００１】
【発明の属する技術分野】
本発明は、記録装置に関する。
【０００２】
【従来の技術】
従来から、紙やＯＨＰ用シート等の記録媒体に対して記録を行う記録装置には、種々の記録方式による記録ヘッドを搭載した形態のものが提案されている。この記録ヘッドとしては、ワイヤドット方式、感熱方式、熱転写方式、インクジェット方式によるもの等がある。
【０００３】
特に、記録媒体に向けてインクを直接噴射するインクジェット方式は、これら中で、記録動作時の動作音が静かで、ランニングコストが安いことから、他の方式に比べて広く利用されている。
【０００４】
このインクジェット方式を採用した記録装置であるインクジェット記録装置は、記録される文字や図形のカラー化、記録動作の高速化、記録画像の高画質化など、各性能においてめざましい向上を遂げており、オフィスで各個人の机上に置かれたり、一般家庭内で日常的に使用されたりするなど、ユーザにとってより身近なものとなっている。このため、インクジェット記録装置に対しては、高性能を維持したままでのさらなる小型化及び軽量化への要望が大きくなっている。特に使用しない間は本棚や机の中に収納できるよう、記録装置の薄型化が強く望まれている。
【０００５】
装置の小型化および薄型化に対して、特に記録ヘッドを走査しながら記録を行う、いわゆるシリアル型記録装置においては、記録ヘッドの小型化が非常に有効である。なぜなら、シリアル型記録装置においては、記録ヘッドが装置内を記録幅いっぱいに走査するスペースを要する構造であるため、走査する記録ヘッドが小型であれば走査するのに必要なスペースが小さくなり、よって、記録ヘッドを小型化する以上のスペースを削減することができるためである。
【０００６】
ところが記録ヘッドを小さくしても、記録ヘッドを搭載するキャリッジおよびその周辺部品、すなわち記録ヘッドとともに走査する部分が小さくならなければその効果は薄れたものとなる。
【０００７】
一般的に記録ヘッドはそのメンテナンス上の観点などから、キャリッジに対し着脱自在に構成されているタイプのものが多い。このようなタイプでは記録ヘッドをキャリッジ上に固定するための構成が設けられている。特に多くの場合ユーザが記録ヘッドを交換できるように構成するため、ユーザが操作しやすい構成をとる必要がある。このため、従来、記録ヘッドをキャリッジに固定するために比較的大きな操作レバーを設けていた。また、キャリッジには、記録ヘッドに対し記録信号や電源を供給するためのケーブルと記録ヘッドとを接続するコネクタも必要となる。例えば、キャリッジに記録ヘッドを載置するための載置部と、記録ヘッド載置部を覆うように変位可能に設けられたレバー部材と具備し、レバー部材を回転させることにより載置した記録ヘッドに対してコネクタを接近、離間するようにしてコネクタの結合および解除を行うものが開示されている（例えば、特許文献１参照）。
【０００８】
また、より小型の記録ヘッド着脱機構も開示されている（例えば、特許文献２参照）。この例ではキャリッジの一側壁に記録ヘッド位置決め部と、ゴムパッドの弾性力を用いた圧接式のコネクタを有し、斜め上方より記録ヘッドを一側壁に向かって回転挿入することで記録ヘッドの位置決めとコネクタの結合を行う。また記録ヘッドの固定は一側壁と対向する他側壁に回転可能に付設されたラッチレバーが記録ヘッドを係止することで、記録ヘッドがキャリッジに確実に固定される。このため簡単な操作あるいは機構で確実に記録ヘッドをキャリッジに高精度に位置決めすることができる。
【０００９】
また記録ヘッドおよびキャリッジを小型化する一方法としてカードエッジ型コネクタをキャリッジに搭載する方法も提案されている。
【００１０】
【特許文献１】
特許第３０２９１２６号公報
【特許文献２】
特開平１０−１８１００７号公報
【００１１】
【発明が解決しようとする課題】
しかしながら特許文献１に開示されている従来例では、レバー操作によって記録ヘッドに対してコネクタが移動して結合するようになっているので、コネクタのみならずコネクタが実装された基板や配線等を移動させるためのスペースが必要となり、装置が大型化し小型化に適さない場合があった。
【００１２】
また、特許文献２に開示されている従来例ではゴムパッドの弾性力を用いた圧接式のコネクタを用いており、このコネクタの反力をキャリッジ自体の構造体で受ける構成になっている。近年記録ヘッドの多ノズル化に伴いコネクタの接点数は増加の傾向にあり、より多くのコネクタ接点を設けようとするとその反力を許容するためにキャリッジ自体の構造体を強化しなければならず大型化する傾向があった。この課題を解決するために上記カードエッジ型コネクタを採用する方法があるが、特許文献２に開示されている従来例では記録ヘッドを回転動作によってキャリッジに固定およびコネクタの結合を行うため、カードエッジ型コネクタを使用できない課題があった。
【００１３】
またカードエッジ型コネクタを採用しようとした場合、カードエッジ型コネクタ自体は小型であるが、カードエッジ型コネクタの結合、解除のための構成がキャリッジの大型化を招く問題もあった。
【００１４】
そこで、本発明は、記録装置を提供することを目的とする。
【００１５】
【課題を解決するための手段】
上記目的を達成するため本発明の記録装置は、駆動用の電力および信号が伝達されるヘッド側接続部を備えた記録ヘッドを着脱可能に搭載し、前記記録ヘッドが装着される際に前記ヘッド側接続部が挿入されることで電気的に接続されるカードエッジ型コネクタを備えた、ガイドシャフトに案内されて往復走査されるキャリッジを有する記録装置であって、前記記録ヘッドを押圧して前記カードエッジ型コネクタに前記ヘッド側接続部を挿入させて電気的に接続させ、前記記録ヘッドが搭載された状態で、前記記録ヘッドを囲む前記キャリッジの枠壁と、前記枠壁に対面する前記記録ヘッドの外面との間隙に挿入される、前記ガイドシャフトを回転中心として回転可能なレバー部材を有することを特徴とする。
【００１６】
上記のとおり本発明の記録装置は、カードエッジ型コネクタにヘッド側接続部を挿入させて電気的に接続させるためのレバー部材が記録ヘッドが搭載された状態で、キャリッジの枠壁と記録ヘッドの外面との間隙に挿入される構成となっている。すなわち、カードエッジ型コネクタの結合、解除のためのレバー部材が記録装置内で場所をとらないため、きわめて小型なキャリッジ構成、ひいては小型な記録装置を提供することができる。
【００１７】
【発明の実施の形態】
次に、本発明の実施の形態について図面を参照して説明する。
【００１８】
図１に外装を除いた状態の、本実施形態の記録装置の記録動作機構の全体を表す斜視図を示す。
【００１９】
本実施形態における記録動作機構を大別して説明すると、不図示の記録用紙Ｐ（プラスチックシートなどの記録可能な可とう性シートを含む記録媒体）を装置本体内の搬送部２００へと自動的に給送する自動給紙部１００と、自動給紙部１００から１枚ずつ送出される記録用紙Ｐを所望の記録位置へと導くと共に記録用紙Ｐを記録位置から排出する搬送部２００と、搬送部２００の下流に位置する排出部３００と、搬送部２００に搬送された記録用紙Ｐに所望の記録を行う記録部４００と、記録部４００等に対する回復処理を行う回復部６００とから構成され、各機構部はシャーシ７０１を中心としてほぼ一体に構成されている。記録用紙Ｐの搬送方向は矢印Ａで示す方向であり、記録部４００の往復動作方向は矢印Ｂで示す方向である。
【００２０】
記録部４００は、ガイドシャフト４０２とガイドレール３０５によって移動可能に支持されたキャリッジ４０１（図４参照）とを有し、キャリッジ４０１は、記録ヘッドカートリッジ５０１（図２参照）を着脱可能に搭載する。
【００２１】
次に、図２を用いて本実施形態における記録ヘッド５００について説明する。
【００２２】
記録ヘッドカートリッジ５０１は、内部にインクを貯留するインクタンク５０２を着脱可能に搭載し、このインクタンク５０２から供給されるインクを記録情報に応じて吐出させる不図示の記録ノズルを有し、後述するキャリッジ４０１に対して着脱可能に搭載される、いわゆるカートリッジ方式が採用されている。
【００２３】
ここに示す記録ヘッドカートリッジ５０１では、カラーによる記録を可能とするため、インクタンク５０２として、ブラックインクタンク５０３と、シアン、マゼンタ及びイエローの３色一体のカラーインクタンク５０４が用意されており、それぞれが記録ヘッドカートリッジ５０１に対して着脱自在となっている。
【００２４】
さらに記録ヘッドカートリッジ５０１は記録ヘッド５００へと駆動信号を伝達する電気配線基板５０６を備えている。
【００２５】
図３に、記録ヘッド５００と、不図示のキャリッジ４０１に設けられたヘッドコネクタ４０５との嵌合状態を示す。
【００２６】
ヘッドコネクタ４０５は、コンタクトピン４０５ａと、記録ヘッドカートリッジ５０１の電気配線基板５０６に設けられた外部入力信号端子５１０とが嵌合して電気的に接続され、記録のための各種情報の授受や記録ヘッド５００への電力の供給などを行い得るようになっている。また、このヘッドコネクタ４０５は、記録ヘッドカートリッジ５０１とキャリッジ４０１との位置決め面が互いに当接し精度良く位置決めされた際にその妨げとならないよう、キャリッジ４０１に対して相対移動可能に保持されている。
【００２７】
キャリッジＦＰＣ４０４はヘッドコネクタ４０５と電気的に接続され、記録ヘッドカートリッジ５０１の位置決めに伴いヘッドコネクタ４０５が移動しても、この電気的接続が保たれる構成となっている。
【００２８】
図４はヘッドセットレバーを持ち上げたキャリッジの斜視図である。
【００２９】
キャリッジ４０１には、ヘッドセットレバー４０３がキャリッジ４０１に対して回動可能に係合して設けられており、記録ヘッドカートリッジ５０１をキャリッジ４０１の装着位置に案内し、所定の装着位置にセットさせるよう押圧する。このヘッドセットレバー４０３はキャリッジ４０１に対し、ガイドシャフト４０２と略同軸に回動可能に支持されている。
【００３０】
ユーザが、記録ヘッドカートリッジ５０１をキャリッジ４０１にセットし、ヘッドセットフック４０６のラッチ爪４０６ｃ（図８参照）がキャリッジ４０１のラッチ係合部４０１ｂ（図６参照）に係合するまでヘッドセットレバー４０３を図４に示す矢印ａ方向に回転させると、記録ヘッドカートリッジ５０１とキャリッジ４０１との位置決め面が互いに当接し精度良く位置決めされて、記録ヘッドカートリッジ５０１の取り付けが完了する。
【００３１】
記録ヘッドカートリッジ５０１をキャリッジ４０１から取り外す際には、ユーザはヘッドセットフック４０６のラッチを撓ませてキャリッジ４０１との係合を解除し、ヘッドセットレバー４０３を開く方向（図４中、矢印ｂ方向）に回転させる。
【００３２】
図５はキャリッジ４０１に記録ヘッドカートリッジ５０１を装着した状態を示す斜視図である。
【００３３】
以下に図４および図５を用いて記録ヘッドカートリッジ５０１をキャリッジ４０１に装着固定する様子を詳細に説明する。
【００３４】
キャリッジ４０１にはガイドシャフト４０２を貫通する穴部が設けられ、この穴部はキャリッジ４０１が走査する際ガイドシャフト４０２と摺動するいわゆる軸受部を形成する。この軸受部はキャリッジ４０１の左右にそれぞれ１箇所ずつ設けられており、よって、キャリッジ４０１は２ヶ所の軸受で支持されている。２箇所の軸受部にはそれぞれボス４３０ａおよび４３０ｂが突設されている。
【００３５】
ヘッドセットレバー４０３は、概ね第１の側板部４０３α、第２の側板部４０３β、および前板部４０３γからなる、ステンレス等の板金をコの字に成形した形状をなしている。ヘッドセットレバー４０３は後述するようにその回転動作によりキャリッジ４０１に対し記録ヘッドカートリッジ５０１を位置決め固定し、ヘッドコネクタ４０５との結合を行う機能を有するとともに、記録ヘッドカートリッジ５０１をヘッドコネクタから解除し固定位置決めを解除する機能を有する。ヘッドセットレバー４０３の第１の側板部４０３αおよび第２の側板部４０３βにはキャリッジ４０１に設けられたガイドシャフト軸受部のボス４３０ａおよび４３０ｂに嵌合する左右２箇所の穴を有している。ヘッドセットレバー４０３はこの穴でボス４３０ａおよび４３０ｂに嵌合し、ガイドシャフト４０２を中心に回転可能に支持されている。
【００３６】
記録ヘッド押圧部（以下押圧部と呼ぶ）４０３ａは、ヘッドセットレバー４０３がボス４３０ａ、４３０ｂと嵌合している近傍に左右それぞれほぼ対称形状にて設けられている。押圧部４０３ａはばね特性を有する板金からなっており、記録ヘッドカートリッジ５０１をキャリッジ４０１に対して押圧する機能を有する。本実施形態の押圧部４０３ａは、Ｌ字形状をなす板金部材をバーリングカシメにてヘッドセットレバー４０３の第１の側板部４０３αおよび第２の側板部４０３βに固定されている。すなわち、ヘッドセットレバー４０３とは別部材の押圧部４０３ａをバーリングカシメにより固定して一体化したものであるが、これは、押圧部４０３ａに記録ヘッドカートリッジ５０１をキャリッジ４０１に対して押圧するための所定の押圧力をもたせるのに必要なばね厚みの自由度を増すためである。よって、本実施形態では所定の押圧力を得るばね厚みとヘッドセットレバー４０３全体を構成する板金の最適厚みが異なったため、押圧部４０３ａを別部品としている。ヘッド押圧力が比較的大きく、ヘッドセットレバー全体の板金厚みをそれにあわせて厚くしてキャリッジ全体が大型化するのを避けている。もちろんこれらを同一の板金で一体的に構成してもよい。
【００３７】
押圧部４０３ａはヘッドセットレバー４０３の左右２箇所に設けられた、ガイドシャフト４０２を中心とした回転支点の近傍にそれぞれ設けられている。図４および図６に示すように、左右２ヶ所に設けられた押圧部４０３ａはそのほぼ直下にヘッドコネクタ４０５の両端部が位置している。このようにヘッドコネクタ４０５に対しそのほぼ真上からヘッドコネクタ４０５の両端部近傍で記録ヘッドカートリッジ５０１を押圧することにより、電気配線基板５０６はヘッドコネクタ４０５に対しスムーズに挿入されることとなる。また、ヘッドセットレバー４０３の回転中心の近傍に押圧部４０３ａおよびヘッドコネクタ４０５とが配置されていることにより、ヘッドセットレバー４０３のヘッドセットフック４０６とのてこ比を確保することができるため、より軽い操作力でヘッドコネクタ４０５に対し電気配線基板５０６を嵌合させることができる。
【００３８】
図７に示すように、ヘッドセットレバー４０３には、左右の各押圧部４０３ａに対してある所定のクリアランスをもってストッパ４０３ｄが設けられている。各ストッパ４０３ｄは、ヘッドセットレバー４０３を構成する第１の側板部４０３αおよび第２の側板部４０３βの板金を曲げて一体的に形成されたものである。押圧部４０３ａは、ヘッドセットレバー４０３の回転により記録ヘッドカートリッジ５０１に設けられた斜面部５０１ａを押圧していく。その際、電気配線基板５０６がヘッドコネクタ４０５の入り口にガイドされて挿入されていくが、電気配線基板５０６のエッジがヘッドコネクタ４０５のコンタクトピン４０５ａに突入する際に比較的大きな押圧力を必要とする。エッジがひとたびコンタクトピン４０５ａへ突入してしまうと、そのあとは電気配線基板５０６上の外部入力信号端子５１０とコンタクトピン４０５ａとの摺動摩擦力が作用する。
【００３９】
ここで、エッジ突入時の押圧力よりも外部入力信号端子５１０とコンタクトピン４０５ａ同士の摺動摩擦力の方が大幅に小さいため、エッジ突入に必要な押圧力を生じるばね力を押圧部４０３ａに設定すると記録ヘッドカートリッジ５０１がキャリッジ４０１に固定されたあとの記録ヘッドカートリッジ５０１に作用するばね力が過大なものとなり、キャリッジ４０１全体をひずませるおそれがある。
【００４０】
そこでエッジ突入時の大きな力、あるいはその他の引っかかり等による、押圧部４０３ａを撓ませるほどの想定外の力が押圧部４０３ａに作用した場合は、その撓みをストッパ４０３ｄによって阻止し、ストッパ４０３ｄによってエッジ突入等の力を受ける。このようにストッパ４０３ｄを備えた構成とすることにより押圧部４０３ａの設定ばね力を大きくする必要がなく、また、想定外の力がキャリッジ４０１全体に与える影響も少なくすることができる。
【００４１】
また押圧部４０３ａはその先端部を約１８０°曲げた、いわゆるヘミング曲げを施してあるため、記録ヘッドカートリッジ５０１の斜面部５０１ａを押圧する際、板金のエッジが斜面部５０１ａに食い込んだりすることがない。
【００４２】
図７に示すように押圧部４０３ａはその先端部が斜面部５０１ａを押圧することにより斜面部５０１ａに対し力Ｆを作用させている。ここで斜面部５０１ａは力Ｆが力ＦｙおよびＦｚに分解されるように所定の角度をもって設定されている。この力Ｆｙによって記録ヘッドカートリッジ５０１は、図９に示すＹ方向位置決め部５０１ｂを図６に示すキャリッジ４０１上の位置決め部４０１ｄに押圧し、同時に、力ＦｚによってＺ方向位置決め部５０１ｃをキャリッジ４０１上の位置決め部４０１ｃに押圧する。これにより記録ヘッドカートリッジ５０１はキャリッジ４０１に対して位置決めされることとなる。さらにキャリッジ４０１上の位置決め部近傍を回転中心としたモーメントが記録ヘッドカートリッジ５０１に対し図７における時計回り方向に作用し、記録ヘッドカートリッジ５０１の底面部に設けられた位置決め部５０１ｄがキャリッジ上の位置決め部４０１ｅに押圧される。このようにして記録ヘッドカートリッジ５０１の回転が阻止され、記録ヘッドカートリッジ５０１のキャリッジ４０１に対する位置決めは完了する。
【００４３】
ここで記録ヘッドカートリッジ５０１のキャリッジ４０１に対する位置決めはＹ方向およびＺ方向について述べているが、Ｘ方向すなわちガイドシャフト４０２長手方向に対する位置決めは電気配線基板５０６のエッジがヘッドコネクタ４０５のコンタクトピン４０５ａに突入する前の段階で、図４に示すＸ方向付勢ばね４０９によって記録ヘッドカートリッジ５０１の所定の位置決め部（不図示）がキャリッジ４０１の所定の位置決め部（不図示）に対して押圧当接し、Ｘ方向の位置決めがなされる。その後に上述のようなＹ方向およびＺ方向の位置決めがなされ、記録ヘッドカートリッジ５０１は３方向の位置決めが確実に行われる。
【００４４】
本実施形態において左右２箇所に設けられた押圧部４０３ａは、図８に示すように、その間を一体的に橋渡し形状部４０３ｇでつないでいる。このように構成することにより押圧部４０３ａがヘッドセットレバー４０３から直角に曲げられた部分を中心に倒れ押圧力が分散することを防いでいる。
【００４５】
また、橋渡し形状部４０３ｇがメンバー部材として機能するため、全体としてコの字形状をなしているヘッドセットレバー４０３の剛性も増し、より安定した押圧力が得られる。
【００４６】
ここで、この橋渡し形状部４０３ｇは押圧部４０３ａに力がかかることにより全体が上方に撓む。キャリッジ４０１の上部に比較的狭いクリアランスで筐体の壁等が設けられていると、このたわみで筐体の壁と橋渡し形状部４０３ｇとが接触するおそれがあるため、橋渡し形状部４０３ｇの中央付近をあらかじめ下側に凹形状に形成している。
【００４７】
次にヘッドセットレバー４０３の形状について詳細に説明する。
【００４８】
図８はヘッドセットレバー４０３単体およびそれに装着されたヘッドセットフック４０６を示している。ヘッドセットレバー４０３は前述の通り、第１の側板部４０３α、第２の側板部４０３β、および前板部４０３γからなるコの字形状をなし、押圧部４０３ａの間を橋渡し部４０３ｇがつないで、全体として方形を成している。この形状はキャリッジ４０１全体の方形形状とほぼ相似形をなしている。キャリッジ４０１の方形形状は同様にほぼ相似形を成した記録ヘッドカートリッジ５０１を受け入れる開口を有しており、この開口から記録ヘッドカートリッジ５０１がキャリッジ４０１に挿入装着される。ヘッドセットレバー４０３は、これらほぼ相似形を成すキャリッジ４０１と記録ヘッドカートリッジ５０１との間に、その少なくとも３つの側面が挿入されるように構成されている。
【００４９】
すなわち、ヘッドセットレバー４０３の、第１の側板部４０３αはキャリッジ４０１の面４０１αと記録ヘッドカートリッジ５０１の面５０１αとの間に、第２の側板部４０３βはキャリッジ４０１の面４０１βと記録ヘッドカートリッジ５０１の面５０１βとの間に、前板部４０３γはキャリッジ４０１の面４０１γと記録ヘッドカートリッジ５０１の面５０１γとの間に挿入されるように構成されている（図４〜図６、図８、図９等参照）。このように構成することによりヘッドセットレバー４０３の強度を確保しつつ、最少のスペースでヘッドセットレバー４０３を設けることができる。同時に記録ヘッドカートリッジ５０１に対してインクタンク５０２を装着するための開口部が形成できる。
【００５０】
また、ヘッドセットレバー４０３の第２の側板部４０３βの上端部にはひさし部４０３ｉが設けられており、その部分に指標４０３ｊが設けられている。指標４０３ｊはひさし部４０３ｉに刻印されていても、ラベル等で貼付されていてもよい。指標４０３ｊは記録ヘッドカートリッジ５０１に搭載されるインクタンク５０２と対応し、インクタンク５０２側にも同様の指標が設けられている（図５参照）。このように指標を設けることにより複数のインクタンクをユーザが間違えることなく記録ヘッドカートリッジ上に装着することができる。本実施形態ではブラックおよびカラーの２種類のインクタンクが装着されるが、インクタンクが１個であってもいいし、３個以上であってもよい。
【００５１】
インクタンク５０２はひさし部４０３ｉの下に一端を挿入され、他端部に設けられたラッチレバーにより記録ヘッドカートリッジ５０１に装着される。このようにインクタンク５０２は回転動作によって装着されるが、この回転動作をユーザに認識しやすいようにするためにもひさし部４０３ｉは設けられている。
【００５２】
ひさし部４０３ｉがヘッドセットレバー４０３に設けられることにより、ヘッドセットレバー４０３を解除した時は同時にひさし部４０３ｉも退避するので記録ヘッドカートリッジ５０１はひさし部４０３ｉに邪魔されることなく装着できる。あらかじめキャリッジ４０１にひさし部４０３ｉが形成されていたならば、記録ヘッドカートリッジ５０１はひさし部４０３ｉをかいくぐって、すなわち特開平１０−１８１００７号公報に開示されているように記録ヘッドカートリッジを回転して装着する必要がある。このような装着方法では本実施形態における垂直挿入型のカードエッジ型ヘッドコネクタが適用できない。よってヘッドセットレバー４０３にひさし部４０３ｉを設けることにより、上述したひさし部４０３ｉの効果を得つつカードエッジ型ヘッドコネクタの採用が可能になった。
【００５３】
図８に示す、ヘッドセットレバー４０３の第２の側板部４０３βに形成された開口部４０３ｈはインクタンク５０２を装着する際にインクタンクの回転動作によりインクタンク５０２の稜線がヘッドセットレバー４０３と干渉することを防止している。ここでインクタンク５０２がヘッドセットレバー４０３と干渉するかどうかは、インクタンク５０２と記録ヘッドカートリッジ５０１のインク結合部の配置に関係しており、干渉する配置にあるインクタンクにはヘッドセットレバーを切り欠いて開口を設けることによりその干渉を防止することができる。
【００５４】
またヘッドセットレバー４０３の回転中心の反対側の面である前板部４０３γにはヘッドセットフック４０６が設けられている。ヘッドセットフック４０６は、第１の操作部４０６ａ、第２の操作部４０６ｂおよびラッチ爪４０６ｃとを一体に形成した樹脂で構成されており、ヘッドセットレバー４０３の前板部４０３γに対して圧入固定されている。第１の操作部４０６ａは前板部４０３γと一体的に固定されており、第２の操作部４０６ｂおよびラッチ爪４０６ｃは、前板部４０３γに対して弾性的に支持されたレバー部４０６ｄに設けられている。
【００５５】
第１の操作部４０６ａは記録ヘッドカートリッジ５０１をキャリッジ４０１に固定する操作の際に操作する操作部であり、ユーザは同操作を行う際、第１の操作部４０６ａを上から下方に押圧して、ラッチ爪４０６ｃをキャリッジ４０１のラッチ係合部４０１ｂに係合させる。この第１の操作部４０６ａは記録ヘッドカートリッジ５０１の幅方向（キャリッジ動作方向）のほぼ中央に位置しているため、ヘッドセットレバー４０３操作時にヘッドセットレバー４０３がかしぐことがない（ヘッドセットレバー４０３は前述の通りコの字を成しており、押圧する位置が偏ると傾きやすい）。
【００５６】
またヘッドセットフック４０６に設けられたラッチ爪４０６ｃは上面から見て第１の操作部４０６ａとほぼ同じ位置である記録ヘッドカートリッジ５０１の幅方向ほぼ中央に位置している。すなわちヘッドセットレバー４０３がキャリッジ４０１と係合する部分が、２箇所の押圧部４０３ａのほぼ中心であることから、ヘッドを固定した後もヘッドセットレバー４０３がかしぐことがない。仮にヘッドセットレバー４０３がかしぐと、その上方に狭いクリアランスで設けられる筐体の壁などと接触するおそれがある。
【００５７】
第２の操作部４０６ｂは、キャリッジ４０１のラッチ係合部４０１ｂとラッチ爪４０６ｃとの係合を解除するための操作部であり、ラッチ爪４０６ｃがラッチ係合部４０１ｂから解除されることでヘッドセットレバー４０３が解除される。
【００５８】
本実施形態のヘッドセットフック４０６は、ヘッドの固定には第１の操作部４０６ａを操作し、ヘッドの解除には、第１の操作部４０６ａと異なる位置に設けられた第２の操作部４０６ｂを操作する構成となっている。このように、操作の機能を分離することにより、ユーザの操作ミスを減少させることができるとともにヘッド固定を確実にすることができる。仮に同じ操作部を兼用した場合、上から押して固定する動作と下から上げて解除する動作を同じ部品で行わなければならず、ヘッド固定力をバランスさせる必要があり確実なヘッド固定ができない。
【００５９】
さらにヘッドセットフック４０６は、上述したように第１および第２の操作部４０６ａ、４０６ｂとラッチ爪４０６ｃとを一体に形成しているため、コスト的にもきわめて有利な構成である。
【００６０】
次に記録ヘッドカートリッジのヘッドコネクタからの解除方法について説明する。
【００６１】
図７、図８および図１０に示すように、記録ヘッド解除部４０３ｃは、ヘッドセットレバー４０３から内側に板金を曲げ起こして形成されており、ヘッドセットレバー４０３の両側面である第１の側板部４０３α、第２の側板部４０３βのそれぞれに１箇所ずつ設けられており、その位置は側面から見てヘッドコネクタとほぼ同一の位置に設けられている。記録ヘッド解除部４０３ｃは、ヘッドセットレバー４０３の回転中心に近い側に先端部４０３ｃ２が形成され、先端部４０３ｃ２からヘッドセットレバー４０３の回転中心より離れる方向に向けて面取り部４０３ｃ１が形成された形状を有している。
【００６２】
記録ヘッドカートリッジ５０１を固定する際は前述の通り記録ヘッドカートリッジ５０１をキャリッジ４０１の開口部に挿入しヘッドセットレバー４０３を閉じる方向に回転させる。その際記録ヘッド解除部４０３ｃはその先端部が記録ヘッドカートリッジ５０１の側面と接触し、若干ヘッドセットレバー側面に向かって撓みながら回転していく。このとき記録ヘッド解除部４０３ｃは記録ヘッドカートリッジ５０１と接触するものの記録ヘッドカートリッジ５０１と係合して移動させることはない。押圧部４０３ａが記録ヘッドカートリッジ５０１を押圧し固定された時点では、記録ヘッド解除部４０３ｃは、図１０（ａ）に示すように、記録ヘッドカートリッジ５０１と所定のクリアランスｌをもっており接触しないため記録ヘッドカートリッジ５０１の位置決めを阻害しない。記録ヘッド解除部４０３ｃはこのとき、記録ヘッドカートリッジ５０１の係合部５０１ｅの下にもぐりこんでいる。
【００６３】
この状態からヘッドセットフック４０６を操作してヘッドセットレバー４０３の固定を解除し回転させていくと記録ヘッド解除部４０３ｃの先端部４０３ｃ２は、図１０（ｂ）に示すように、上記所定のクリアランスｌ分回転した後、すなわち、所定の回転角Ａ１で係合部５０１ｅと係合し、記録ヘッドカートリッジ５０１の係合部５０１ｅと係合し記録ヘッドカートリッジ５０１を上方へと持ち上げる。さらにヘッドセットレバー４０３を回転させると双方の係合を保ったまま電気配線基板５０６がヘッドコネクタ４０５から解除される。その後さらに、図１０（ｃ）に示すようにヘッドセットレバー４０３を回転させると、すなわち、所定の回転角Ｂ１まで回転させることで双方の係合が解除され記録ヘッドカートリッジ５０１はヘッドコネクタ５０６から分離される。この状態で記録ヘッドカートリッジ５０１はキャリッジ４０１からフリーとなりユーザは記録ヘッドカートリッジ５０１をキャリッジ４０１から取り外すことができる。
【００６４】
ここで記録ヘッド解除部４０３ｃは強度が必要なため所定の幅を有しているが、その一方に面取り部４０３ｃ１が形成され、よりヘッドセットレバー４０３の回転中心に近い側の点となる先端部４０３ｃ２で記録ヘッドカートリッジ５０１と係合しているため、双方の係合が解除されたあとは記録ヘッド解除部４０３ｃは速やかに記録ヘッドカートリッジ５０１から退避する。
【００６５】
また、記録ヘッド解除部４０３ｃはヘッドコネクタ５０６の両端近傍に位置し、さらにヘッドセットレバー４０３の回転中心からも近い位置にあるため、ユーザの操作力が小さくて済み非常に快適な操作感を得ることができる。
【００６６】
なお、記録ヘッド解除部４０３ｃはヘッドセットレバー４０３に対し一体的に構成しているが、別部品を用いてもよい。別部品を用い場合、ヘッドセットレバーをセットする際に記録ヘッド解除部４０３ｃが記録ヘッドカートリッジ側面と接触磨耗するのを緩和するよう、ヘッドセットレバー側面側に撓みやすい構成をとることができる。
【００６７】
【発明の効果】
以上説明したように本発明によれば、カードエッジ型コネクタの結合、解除のためのレバー部材がキャリッジの枠壁と記録ヘッドの外面との間隙に挿入される構成となっており、記録装置内で場所をとらないため、カードエッジ型コネクタを用いながら小型なキャリッジを構成でき、安定的なヘッド固定および解除が実現でき、さらには記録装置の小型化が実現できる。
【図面の簡単な説明】
【図１】本発明の一実施形態における記録装置の記録動作機構の全体を示す斜視図である。
【図２】記録ヘッドおよびインクタンクの外観斜視図である。
【図３】記録ヘッドとカードエッジ型コネクタの接続状態を示す側断面図である。
【図４】ヘッドセットレバーを開いた状態でのキャリッジ構成を示す斜視図である。
【図５】記録ヘッドを搭載した状態でのキャリッジの構成を示す斜視図である。
【図６】ヘッドセットレバーを閉じた状態でのキャリッジ構成を示す斜視図である。
【図７】押圧部による、キャリッジへの記録ヘッドの固定状態を示す側断面図である。
【図８】ヘッドセットレバーの構成を示す斜視図である。
【図９】記録ヘッドの構成を示す斜視図である。
【図１０】記録ヘッドの解除動作を説明する斜視図である。
【符号の説明】
１００    自動給紙部
２００    搬送部
３００    排出部
３０５    ガイドレール
４００    記録部
４０１    キャリッジ
４０１ｂ    ラッチ係合部
４０１α    第１の側板部
４０１β    第２の側板部
４０１ｃ、４０１ｄ、４０１ｅ    位置決め部
４０１α、４０１β、４０１γ、５０１α、５０１β、５０１γ    面
４０２    ガイドシャフト
４０３    ヘッドセットレバー
４０３ａ    押圧部
４０３ｃ    記録ヘッド解除部
４０３ｃ１    面取り部
４０３ｃ２    先端部
４０３ｄ    ストッパ
４０３ｇ    橋渡し形状部
４０３ｈ    開口部
４０３ｉ    ひさし部
４０３ｊ    指標
４０３α    第１の側板部
４０３β    第２の側板部
４０３γ    前板部
４０５    ヘッドコネクタ
４０５ａ    コンタクトピン
４０６    ヘッドセットフック
４０６ａ    第１の操作部
４０６ｂ    第２の操作部
４０６ｃ    ラッチ爪
４０６ｄ    レバー部
４３０ａ    ボス
５００    記録ヘッド
５０１ａ    斜面部
５０１ｅ    係合部
５０１    記録ヘッドカートリッジ
５０１ｂ    Ｙ方向位置決め部
５０１ｃ    Ｚ方向位置決め部
５０１ｄ    位置決め部
５０２    インクタンク
５０３    ブラックインクタンク
５０４    カラーインクタンク
５０６    ヘッドコネクタ
５０６    電気配線基板
５１０    外部入力信号端子
６００    回復部
７０１    シャーシ
【図１】
2004230800.tif 000003
【図２】
2004230800.tif 000004
【図３】
2004230800.tif 000005
【図４】
2004230800.tif 000006
【図５】
2004230800.tif 000007
【図６】
2004230800.tif 000008
【図７】
2004230800.tif 000009
【図８】
2004230800.tif 000010
【図９】
2004230800.tif 000011
【図１０】
2004230800.tif 000012